(57)【要約】      （修正有）【課題】貫通孔を有する鉄筋コンクリート造梁に適用される補強構造についてその改善を図る梁の補強構造を提供する。【解決手段】複数の上方の主筋１６及び複数の下方の主筋１８を有し、また、上下の両主筋間に設けられた貫通孔２２を有する鉄筋コンクリート造の梁１０の補強構造１２は、上下の両主筋間に鉛直に配置された鋼板２４を含む。鋼板２４は、鋼板２４の両面に開放する穴２８であって貫通孔２２を規定し又は貫通孔２２の周囲を取り巻く穴２８と、鋼板２４の両面にそれぞれ設けられた複数の突起３０とを有する。【選択図】図１
2015178756.tif 000002
【特許請求の範囲】
【請求項１】
複数の上方の主筋及び複数の下方の主筋を有し、また、上下の両主筋間に設けられた貫通孔を有する鉄筋コンクリート造の梁の補強構造であって、
上下の両主筋間に鉛直に配置された鋼板を含み、
前記鋼板は、その両面に開放する穴であって前記貫通孔を規定し又は該貫通孔の周囲を取り巻く穴と、その両面にそれぞれ設けられた複数の突起とを有する、梁の補強構造。
【請求項２】
前記突起は、スタッドからなる、請求項１に記載の梁の補強構造。
【請求項３】
前記突起は、凸面からなる、請求項１に記載の梁の補強構造。
【請求項４】
前記梁の貫通孔は円形又は矩形の横断面形状を有する、請求項１に記載の梁の補強構造。
【発明の詳細な説明】
【技術分野】
【０００１】
本発明は、例えば配管が通される貫通孔が設けられる鉄筋コンクリート造の梁の補強構造に関する。
【背景技術】
【０００２】
貫通孔が設けられた鉄筋コンクリート造梁は、貫通孔が設けられないものと比べて、その剪断性能が非常に低いことが知られている。
【０００３】
このことから、従来、前記梁を補強するために、前記貫通孔に連通する開口を有する２つの鋼板をそれぞれ前記梁の両側面に接着材で接着しまた複数のアンカーボルトで固定し、これにより前記梁と前記鋼板とを一体にすることが提案されている（後記特許文献１参照）。これによれば、前記梁に対してこれを剪断する方向に働く外力が作用するとき、該外力が前記接着材及びアンカーボルトを介して前記鋼板に伝達され、前記鋼板が前記外力に抵抗し、前記梁の剪断性能を補う。
【先行技術文献】
【特許文献】
【０００４】
【特許文献１】特開２００８−３１８２１号公報
【発明の概要】
【発明が解決しようとする課題】
【０００５】
本発明は、前記従来の提案に鑑み、貫通孔を有する鉄筋コンクリート造梁に適用される補強構造についてその改善を図ることを目的とする。
【課題を解決するための手段】
【０００６】
本発明は、複数の上方の主筋及び複数の下方の主筋を有し、また、上下の両主筋間に設けられた貫通孔を有する鉄筋コンクリート造の梁の補強構造を提供する。当該補強構造は、前記上下の両主筋間に鉛直に配置された鋼板を含み、前記鋼板は、その両面に開放する穴であって前記貫通孔を規定し又は該貫通孔の周囲を取り巻く穴と、その両面にそれぞれ設けられた複数の突起とを有する。前記梁の貫通孔は円形又は矩形の横断面形状を有する。また、前記突起は、例えばスタッドからなり、あるいは、凸面からなる。
【０００７】
本発明によれば、梁の上下の両主筋間に鉛直に配置され、また、その穴が前記梁の貫通孔を規定し又は取り巻く前記鋼板は、前記梁の貫通孔の周囲においてコンクリートに埋もれ、その全ての面において前記コンクリートに接する。このため、前記鋼板は前記梁の内部にあって該梁と一体をなし、前記梁がこれを剪断する方向への外力を受けるとき、前記鋼板もまた直ちに前記外力を受ける。その結果、前記鋼板は前記梁と共に前記外力に抵抗し、前記梁の剪断性能を補う。また、前記鋼板の両面に設けられた複数の突起は前記コンクリート中を伸びており、前記鋼板の両面が前記のコンクリートから剥離することがあっても、前記鋼板は前記突起において前記梁との一体性を維持され、前記梁の剪断性能を補う働きをなす。
【図面の簡単な説明】
【０００８】
【図１】鉄筋コンクリート造の梁に適用された補強構造の透視正面図である。
【図２】図１に示す補強構造が適用された梁の透視横断面図である。
【図３】補強構造の他の例についての図１と同様の透視正面図である。
【発明を実施するための形態】
【０００９】
図１及び図２を参照すると、鉄筋コンクリート造の梁１０に適用された本発明に係る補強構造が全体に符号１２で示されている。
【００１０】
梁１０は矩形の横断面形状を有する。梁１０はそのコンクリート１４中を梁１０の長手方向へ伸びる複数の上方の主筋１６及び複数の下方の主筋１８を有し、また、これらの上下の両主筋１６、１８間を梁１０の横断方向（図１において紙背方向）へ伸びかつ梁１０の両側面２０に開口する貫通孔２２を有する。図中、符号２３は、貫通孔２２の両側方に配置され上下の両主筋１６、１８の周囲を取り巻く複数の肋筋を示す。貫通孔２２は、図示の例におけるような円形の横断面形状を有し、あるいは、矩形の横断面形状（図示せず）を有する。
【００１１】
補強構造１２は、梁１０の上下の両主筋１６、１８間に鉛直に配置された鋼板２４を含む。鋼板２４は、好ましくは、矩形の平面形状を有し、また、梁１０の前記横断方向におけるほぼ中央に位置する。
【００１２】
鋼板２４はその両面２６に開放する穴２８を有する。穴２８は、図示の例において、梁１０の貫通孔２２を規定する。したがって、穴２８は、貫通孔２２と同じ直径を有し、かつ、その軸線を貫通孔２２と共通にする。図示の例に代えて、穴２８は貫通孔２２の周囲を取り巻くもの、すなわち貫通孔２２より大きい直径を有しかつその軸線を貫通孔２２と共通にするもの、とすることができる。鋼板２４の大きさ及び厚さは、梁１０の断面の大きさ、配筋の太さ等を考慮して定めることができる。なお、貫通孔２２が前記矩形の横断面形状を有するものであるとき、鋼板２４の穴は、前記貫通孔の横断面形状の矩形と合同の関係を有する矩形又は該貫通孔より大きい矩形、例えば相似の関係を有する矩形の形状を有するものとすることができる。
【００１３】
また、鋼板２４は、その両面２６にそれぞれ設けられた複数の突起３０を有する。図１に示すところでは、突起３０は、鋼板２４の各面２６からこれに直交して伸びるスタッドからなる。これらの複数のスタッドは、鋼板２４の穴２８の周囲を取り巻く仮想の矩形の四辺に沿って互いに等間隔をおいて配置されている。前記スタッドは、図示の矩形の四辺上に限らず、任意の位置に配置することができる。前記スタッドの数量、長さ寸法、太さ、横断面形状等は、梁１０の梁１０の断面の大きさ、配筋の太さ等を考慮して定めることができる。
【００１４】
図３に示すように、突起３０は、凸面からなるものとすることができる。図３に示す例にあっては、鋼板２４が縞鋼板からなり、該縞鋼板に設けられた突起が前記凸面を構成する。
【００１５】
鋼板２４は、梁１０の構築のための配筋時に、例えば、鋼板２４の四隅にそれぞれ溶接され梁１０の両側面２０に向けて伸びる４つの棒鋼片３２を、それぞれ、なまし番線（図示せず）で上下の両主筋１６、１８に結束し、これにより、梁１０内の前記した位置に配置することができる。
【００１６】
梁１０の築造により、鋼板２４は梁１０の貫通孔２２の周りのコンクリート１４中に埋設される。このため、鋼板２４はその両面２６、その矩形の周面、さらに、穴２８の直径が貫通孔２２より大きい場合には穴２８の円形の周面を含む全ての面においてコンクリート１４に接し、梁１０と一体になる。鋼板２４を含む補強構造１２によれば、梁１０がこれを剪断する方向への外力を受けるとき、梁１０から鋼板２４に前記外力が直接に伝わり、鋼板２４が梁１０と共に前記外力に抵抗し、梁１０の剪断性能を補う。鋼板２４の両面２６に設けられコンクリート１４を伸びる複数の突起３０は、コンクリート１４中における前記鋼板の移動阻止機能を有し、また、前記外力を受けて鋼板２４の両面２６がコンクリート１４から剥離することがあっても、突起３０において鋼板２４の梁１０との一体性が維持され、梁１０に対する補強が維持される。
【符号の説明】
【００１７】
１０  梁
１２  補強構造
１４  コンクリート
１６、１８  上方の主筋及び下方の主筋
２２  梁の貫通孔
２４  鋼板
２６  鋼板の両面
２８  鋼板の穴
３０  突起
【図１】
2015178756.tif 000003
【図２】
2015178756.tif 000004
【図３】
2015178756.tif 000005